(57)【要約】【課題】  産院への来院が困難な利用者に出産前後の母子の状態を速く通知すること。【解決手段】  出産情報通知装置１は、通知先データベース２３と通知時期配信部２６と出産情報収集部２７と出産情報配信部２８とを備えている。通知先データベース２３は、時期と通知先とを複数出産識別情報に対応づけている。通知時期配信部２６は、情報収集端末５から送信される出産識別情報に対応する通知時期を返信する。産院１１では、情報収集端末５を用いて、出産前後の母子の通知時期での状態を示す出産通知情報が出産情報通知装置１に送信される。出産情報収集部２７は、その出産通知情報を出産識別情報とともに情報収集端末５から収集する。出産情報配信部２８は、出産識別情報に対応する通知先である通知先端末６に出産通知情報を配信する。このとき、産院１１に来院することが困難な利用者１３は、通知先端末６を用いて出産通知情報を知ることができる。【選択図】図１
2005050242.tif 000002
【特許請求の範囲】
【請求項１】
時期と通知先とを示す複数通知先情報を複数出産識別情報にそれぞれ対応づける通知先データベースと、
前記通知先データベースを参照して、前記複数通知先情報のうちの情報収集端末から受信される出産識別情報に対応する通知先情報が示す通知時期を前記情報収集端末に返信する通知時期配信部と、
出産前後の母子の前記通知時期での状態を示す出産通知情報を前記出産識別情報とともに前記情報収集端末から収集する出産情報収集部と、
前記通知先データベースを参照して、前記複数通知先情報のうちの前記出産識別情報に対応する通知先情報が示す通知先端末に前記出産通知情報を配信する出産情報配信部
とを具備する出産情報通知装置。
【請求項２】
請求項１において、
時期と通知先とを示す入力通知先情報を入力情報端末から収集する通知先情報収集部と、
前記入力通知先情報を識別する入力出産識別情報を前記入力情報端末に配信する識別情報配信部とを更に具備し、
前記通知先データベースは、前記入力通知先情報を前記入力出産識別情報に対応づける
出産情報通知装置。
【請求項３】
請求項２において、
前記出産通知情報は、前記出産前後の母子の前記通知時期での映像を含む
出産情報通知装置。
【請求項４】
請求項２または請求項３のいずれかにおいて、
前記出産通知情報は、前記出産前後の母子の前記通知時期での体調を含む
出産情報通知装置。
【請求項５】
請求項２〜請求項４のいずれかにおいて、
複数商品を前記通知先端末に公開して、前記通知先端末から前記複数商品のうちの注文商品の注文を収集する注文収集部と、
前記注文商品の配送の依頼を配送センター端末に送信する発注部とを更に具備し、
前記出産情報配信部は、前記複数商品を公開するホームページのＵＲＬを前記出産通知情報とともに前記通知先端末に配信する
出産情報通知装置。
【請求項６】
時期と通知先とを示す複数通知先情報を複数出産識別情報にそれぞれ対応づける通知先データベースを参照して、前記複数通知先情報のうちの情報収集端末から受信される出産識別情報に対応する通知先情報が示す通知時期を前記情報収集端末に返信するステップと、
出産前後の母子の前記通知時期での状態を示す出産通知情報を前記出産識別情報とともに前記情報収集端末から収集するステップと、
前記通知先データベースを参照して、前記複数通知先情報のうちの前記出産識別情報に対応する通知先情報が示す通知先端末に前記出産通知情報を配信するステップ
とを具備する出産情報通知方法。
【請求項７】
請求項６において、
時期と通知先とを示す入力通知先情報を入力情報端末から収集するステップと、
前記入力通知先情報を識別する入力出産識別情報を前記入力情報端末に配信するステップとを更に具備し、
前記通知先データベースは、前記入力通知先情報を前記入力出産識別情報に対応づける
出産情報通知方法。
【請求項８】
請求項７において、
前記出産通知情報は、前記出産前後の母子の前記通知時期での映像を含む
出産情報通知方法。
【請求項９】
請求項７または請求項８のいずれかにおいて、
前記出産通知情報は、前記出産前後の母子の前記通知時期での体調を含む
出産情報通知方法。
【請求項１０】
請求項７〜請求項９のいずれかにおいて、
複数商品を公開するホームページのＵＲＬを前記出産通知情報とともに前記通知先端末に配信するステップと、
前記通知先端末から前記複数商品のうちの注文商品の注文を収集するステップと、
前記注文商品の配送の依頼を配送センター端末に送信するステップとを更に具備する
出産情報通知方法。
【請求項１１】
時期と通知先とを示す複数通知先情報を複数出産識別情報にそれぞれ対応づける通知先データベースを参照して、前記複数通知先情報のうちの情報収集端末から受信される出産識別情報に対応する通知先情報が示す通知時期を前記情報収集端末に返信するステップと、
出産前後の母子の前記通知時期での状態を示す出産通知情報を前記出産識別情報とともに前記情報収集端末から収集するステップと、
前記通知先データベースを参照して、前記複数通知先情報のうちの前記出産識別情報に対応する通知先情報が示す通知先端末に前記出産通知情報を配信するステップ
とを具備する出産情報通知プログラム。
【請求項１２】
請求項１１において、
時期と通知先とを示す入力通知先情報を入力情報端末から収集するステップと、
前記入力通知先情報を識別する入力出産識別情報を前記入力情報端末に配信するステップとを更に具備し、
前記通知先データベースは、前記入力通知先情報を前記入力出産識別情報に対応づける
出産情報通知プログラム。
【請求項１３】
請求項１２において、
前記出産通知情報は、前記出産前後の母子の前記通知時期での映像を含む
出産情報通知プログラム。
【請求項１４】
請求項１２または請求項１３のいずれかにおいて、
前記出産通知情報は、前記出産前後の母子の前記通知時期での体調を含む
出産情報通知プログラム。
【請求項１５】
請求項１２〜請求項１４のいずれかにおいて、
複数商品を公開するホームページのＵＲＬを前記出産通知情報とともに前記通知先端末に配信するステップと、
前記通知先端末から前記複数商品のうちの注文商品の注文を収集するステップと、
前記注文商品の配送の依頼を配送センター端末に送信するステップとを更に具備する
出産情報通知プログラム。
【発明の詳細な説明】
【技術分野】
【０００１】
本発明は、出産情報通知装置及び出産情報通知方法に関し、特に、出産に関する情報を通信するときに利用される出産情報通知装置及び出産情報通知方法に関する。
【背景技術】
【０００２】
出産に家族が立ち会う立会い出産が実施されている。出産は、一般に、出産予定日がある程度予想することができ、家族は、その予定日に産院に出向くことにより立会い出産することができる。しかし、実際の出産日が予定と大きく異なったり、陣痛が始まってから短時間で出産したりしたときに、その家族が出産に立ち会えなくなる場合がある。このとき、その家族は、出産前後の妊婦の状態を即座に知ることができなかったり、出産時の母子の映像を残すことができない。産院にいない利用者に出産前後の母子の状態を速く通知することが望まれ、出産前後の母子の映像を容易に記録することが望まれている。
【０００３】
特開２００２−０５６１１２号公報には、個々の胎児や乳幼児の発育段階に対応した育児関連情報の提供を可能にする育児支援システムが開示されている。その育児支援システムは、ユーザから取得したユーザの属性情報中の、胎児の出産予定日又は子供の生年月日に基づき、胎児又は子供の発育段階を算定し、ユーザに対して算定された発育段階に対応する育児関連情報を提供可能に構成されている。従って、個々の胎児や子供の発育段階に対応した育児関連情報を提供することができ、妊娠中の女性や子供を持つ母親の育児を効果的に支援することが可能となる。
【０００４】
特開２００２−２０３０５０号公報には、ネットワークを介して少なくとも出産または育児に関する情報のうち、時間の経過に応じた上記情報を個別的に提示する産院に関する情報提示装置が開示されている。その情報提示システムは、妊婦等に関するサービスを取り扱う医院が保有するサーバと、システムを利用すべく契約した顧客が所有する対象端末と、接続装置を介してネットワークに接続されている。そして、起算日から経過した日数に応じた送信日に、経過月に対応する情報を、経過月に対応する送信先へ送信する。妊婦、出産、育児に関する事項は他の風邪などの症状とは異なり期間が略一定であることを考慮し、時間の経過に応じた情報例えば妊娠何ヶ月あるいは出産何ヶ月など各時点における情報（症状、注意事項など）を児土居雨滴に対応する顧客に送信するシステムとしたので、顧客にとって現在関心の高い情報を随時得ることができ、満足度が高められる。
【０００５】
【特許文献１】特開２００２−０５６１１２号公報
【特許文献２】特開２００２−２０３０５０号公報
【発明の開示】
【発明が解決しようとする課題】
【０００６】
本発明の課題は、産院にいない利用者に出産前後の母子の状態を速く通知する出産情報通知装置及び出産情報通知方法を提供することにある。
本発明の他の課題は、出産前後の母子の映像を容易に記録する出産情報通知装置及び出産情報通知方法を提供することにある。
本発明のさらに他の課題は、出産祝いの注文をを容易にする出産情報通知装置及び出産情報通知方法を提供することにある。
【課題を解決するための手段】
【０００７】
以下に、［発明の実施の形態］で使用される番号・符号を括弧付きで用いて、課題を解決するための手段を説明する。これらの番号・符号は、［特許請求の範囲］の記載と［発明の実施の形態］の記載との対応を明らかにするために付加されたものであり、［特許請求の範囲］に記載されている発明の技術的範囲の解釈に用いてはならない。
【０００８】
本発明による出産情報通知装置（１）は、通知先データベース（２３）と通知時期配信部（２６）と出産情報収集部（２７）と出産情報配信部（２８）とを備えている。通知先データベース（２３）は、時期と通知先とを示す複数通知先情報を複数出産識別情報にそれぞれ対応づけている。通知時期配信部（２６）は、通知先データベース（２３）を参照して、複数通知先情報のうちの情報収集端末（５）から受信される出産識別情報に対応する通知先情報が示す通知時期を情報収集端末（５）に返信する。産院（１１）では、情報収集端末（５）が用いられて、産院（１１）での出産前後の母子の通知時期での状態を示す出産通知情報が作成されて、その出産通知情報が出産識別情報とともに情報収集端末（５）から出産情報通知装置（１）に送信される。出産情報収集部（２７）は、その出産通知情報を出産識別情報とともに情報収集端末（５）から収集する。出産情報配信部（２８）は、通知先データベース（２３）を参照して、複数通知先情報のうちの出産識別情報に対応する通知先情報が示す通知先端末（６）に出産通知情報を配信する。このような出産情報通知装置（１）によれば、産院に来院することができないで出産に立ち会えない家族などの利用者（１３）は、通知先端末（６）を用いて出産通知情報を速く知ることができる。
【０００９】
本発明による出産情報通知装置（１）は、時期と通知先とを示す入力通知先情報を入力情報端末（４）から収集する通知先情報収集部（２４）と、入力通知先情報を識別する入力出産識別情報を入力情報端末（４）に配信する識別情報配信部（２５）とを更に備えている。通知先データベース（２３）は、入力通知先情報を複数通知先情報の要素とし、入力出産識別情報を複数出産識別情報の要素として、入力通知先情報を入力出産識別情報に対応づける。利用者（９）は、入力情報端末（４）を用いて、通知時期と通知先とを容易に決めることができる。産院（１１）は、利用者（９）からその入力出産識別情報を聞くことにより、利用者（９）が決めた通知時期と通知先とを容易に知ることができる。
【００１０】
出産通知情報は、出産前後の母子の通知時期での映像を含んでいる。利用者（１３）は、通知先端末（６）を用いて出産前後の母子の映像を容易に記録することができる。出産通知情報は、さらに、出産前後の母子の通知時期での体調を含んでいることが好ましい。
【００１１】
本発明による出産情報通知装置（１）は、複数商品を通知先端末（６）に公開して、通知先端末（６）から複数商品のうちの注文商品の注文を収集する注文収集部（２９）と、その注文商品の配送の依頼を配送センター端末（７）に送信する発注部（３０）とを更に備えている。出産情報配信部（２８）は、複数商品を公開するホームページのＵＲＬを出産通知情報とともに通知先端末（６）に配信する。このとき、利用者（１３）は、通知先端末（６）を用いて出産祝いを容易に注文することができる。
【００１２】
本発明による出産情報通知方法は、時期と通知先とを示す複数通知先情報を複数出産識別情報にそれぞれ対応づける通知先データベース（２３）を参照して、複数通知先情報のうちの情報収集端末（５）から受信される出産識別情報に対応する通知先情報が示す通知時期を情報収集端末（５）に返信するステップ（Ｓ１１〜Ｓ１２）を備えている。産院（１１）では、情報収集端末（５）が用いられて、産院（１１）での出産前後の母子の通知時期での状態を示す出産通知情報が作成されて、その出産通知情報が出産識別情報とともに情報収集端末（５）から出産情報通知装置（１）に送信される。本発明による出産情報通知方法は、出産前後の母子の通知時期での状態を示す出産通知情報を出産識別情報とともに情報収集端末（５）から収集するステップ（Ｓ１４）と、通知先データベース（２３）を参照して、複数通知先情報のうちの出産識別情報に対応する通知先情報が示す通知先端末（６）に出産通知情報を配信するステップ（Ｓ１５〜Ｓ１６）とをさらに備えている。このような出産情報通知方法によれば、産院に来院することができないで出産に立ち会えない家族などの利用者（１３）は、通知先端末（６）を用いて出産通知情報を速く知ることができる。
【００１３】
本発明による出産情報通知方法は、時期と通知先とを示す入力通知先情報を入力情報端末（４）から収集するステップ（Ｓ１〜Ｓ４）と、入力通知先情報を識別する入力出産識別情報を入力情報端末（４）に配信するステップ（Ｓ５）とを更に備えている。通知先データベース（２３）は、入力通知先情報を複数通知先情報の要素とし、入力出産識別情報を複数出産識別情報の要素として、入力通知先情報を入力出産識別情報に対応づける。利用者（９）は、入力情報端末（４）を用いて、通知時期と通知先とを容易に決めることができる。産院（１１）は、利用者（９）からその入力出産識別情報を聞くことにより、利用者（９）が決めた通知時期と通知先とを容易に知ることができる。
【００１４】
出産通知情報は、出産前後の母子の通知時期での映像を含んでいる。利用者（１３）は、通知先端末（６）を用いて出産前後の母子の映像を容易に記録することができる。出産通知情報は、さらに、出産前後の母子の通知時期での体調を含んでいることが好ましい。
【００１５】
本発明による出産情報通知方法は、複数商品を公開するホームページのＵＲＬを出産通知情報とともに通知先端末（６）に配信するステップ（Ｓ１６）と、通知先端末（６）から複数商品のうちの注文商品の注文を収集するステップ（Ｓ２１〜Ｓ２３）と、その注文商品の配送の依頼を配送センター端末（７）に送信するステップ（Ｓ２４）とを更に備えている。このとき、利用者（１３）は、通知先端末（６）を用いて出産祝いを容易に注文することができる。
【００１６】
本発明による出産情報通知プログラムは、コンピュータである出産情報通知装置（１）により実行されるコンピュータプログラムであり、そのコンピュータプログラムの部分として、時期と通知先とを示す複数通知先情報を複数出産識別情報にそれぞれ対応づける通知先データベース（２３）を参照して、複数通知先情報のうちの情報収集端末（５）から受信される出産識別情報に対応する通知先情報が示す通知時期を情報収集端末（５）に返信するステップ（Ｓ１１〜Ｓ１２）を備えている。産院（１１）では、情報収集端末（５）が用いられて、産院（１１）での出産前後の母子の通知時期での状態を示す出産通知情報が作成されて、その出産通知情報が出産識別情報とともに情報収集端末（５）から出産情報通知装置（１）に送信される。本発明による出産情報通知プログラムは、出産前後の母子の通知時期での状態を示す出産通知情報を出産識別情報とともに情報収集端末（５）から収集するステップ（Ｓ１４）と、通知先データベース（２３）を参照して、複数通知先情報のうちの出産識別情報に対応する通知先情報が示す通知先端末（６）に出産通知情報を配信するステップ（Ｓ１５〜Ｓ１６）とをさらに備えている。このような出産情報通知プログラムによれば、産院に来院することができないで出産に立ち会えない家族などの利用者（１３）は、通知先端末（６）を用いて出産通知情報を速く知ることができる。
【００１７】
本発明による出産情報通知プログラムは、時期と通知先とを示す入力通知先情報を入力情報端末（４）から収集するステップ（Ｓ１〜Ｓ４）と、入力通知先情報を識別する入力出産識別情報を入力情報端末（４）に配信するステップ（Ｓ５）とを更に備えている。通知先データベース（２３）は、入力通知先情報を複数通知先情報の要素とし、入力出産識別情報を複数出産識別情報の要素として、入力通知先情報を入力出産識別情報に対応づける。利用者（９）は、入力情報端末（４）を用いて、通知時期と通知先とを容易に決めることができる。産院（１１）は、利用者（９）からその入力出産識別情報を聞くことにより、利用者（９）が決めた通知時期と通知先とを容易に知ることができる。
【００１８】
出産通知情報は、出産前後の母子の通知時期での映像を含んでいる。利用者（１３）は、通知先端末（６）を用いて出産前後の母子の映像を容易に記録することができる。出産通知情報は、さらに、出産前後の母子の通知時期での体調を含んでいることが好ましい。
【００１９】
本発明による出産情報通知プログラムは、複数商品を公開するホームページのＵＲＬを出産通知情報とともに通知先端末（６）に配信するステップ（Ｓ１６）と、通知先端末（６）から複数商品のうちの注文商品の注文を収集するステップ（Ｓ２１〜Ｓ２３）と、その注文商品の配送の依頼を配送センター端末（７）に送信するステップ（Ｓ２４）とを更に備えている。このとき、利用者（１３）は、通知先端末（６）を用いて出産祝いを容易に注文することができる。
【発明の効果】
【００２０】
本発明による出産情報通知装置及び出産情報通知方法によれば、利用者は出産前後の母子の状態を速く知ることができる。
【発明を実施するための最良の形態】
【００２１】
図面を参照して、本発明による出産情報通知装置の実施の形態を説明する。その出産情報通知装置１は、図１に示されているように、出産情報通知システム２に適用されている。出産情報通知システム２は、インターネット３を介して複数の情報処理装置（コンピュータ）が互いに双方向に情報を伝送することができるように接続されている。その情報処理装置は、記憶装置とＣＰＵと表示装置と入力装置とを備えている。その記憶装置は、コンピュータプログラムとデータとを記録する。そのＣＰＵは、そのコンピュータプログラムを実行してデータを処理し、その表示装置と入力装置とを制御する。その複数の情報処理装置は、出産情報通知装置１と入力情報端末４と情報収集端末５と通知先端末６と配送センター端末７とから形成されている。
【００２２】
出産情報通知装置１は、ワークステーションに例示される情報処理装置であり、出産情報通知業者８により使用される。出産情報通知業者８は、出産情報通知システム２を運営する業者である。入力情報端末４は、パーソナルコンピュータ、携帯電話機に例示される情報処理装置であり、利用者９により使用される。利用者９は、出産に関する情報を他の利用者に通知することを出産情報通知業者８に依頼する者である。利用者９としては、妊婦、または、その妊婦が出産することを知っている家族が例示される。このような入力情報端末４は、出産情報通知システム２に複数が設けられている。
【００２３】
情報収集端末５は、パーソナルコンピュータに例示される情報処理装置であり、産院１１に配置されている。産院１１は、出産を取り扱う医院または病院であり、出産前後の母子の所定の時期の状態を出産情報通知業者８に通知することを出産情報通知業者８と契約している。産院１１は、さらに、出産前後の母子の映像を撮影するカメラ１２を備えている。情報収集端末５とカメラ１２とは、産院１１の従業員、産院１１で出産する妊婦または産院１１で子を出産した母親により使用される。情報収集端末５は、さらに、カメラ１２に接続されてカメラ１２により撮影された映像を収集することができる。このような情報収集端末５は、出産情報通知システム２に複数が設けられている。
【００２４】
通知先端末６は、パーソナルコンピュータ、携帯電話機に例示される情報処理装置であり、利用者１３により使用される。利用者１３は、利用者９が出産に関する情報を速く通知したい者であり、出産情報通知業者８によりその母子の状態が通知される者である。利用者１３としては、妊婦の家族、親戚、友人が例示され、利用者９本人であってもよい。このような通知先端末６は、出産情報通知システム２に複数が設けられている。
【００２５】
配送センター端末７は、パーソナルコンピュータに例示される情報処理装置であり、配送センター１４により使用される。配送センター１４は、出産祝いに用いられる商品を販売して配送する業者であり、出産情報通知業者８から発注された商品を指定された送り先に発送する。
【００２６】
図２は、出産情報通知装置１を詳細に示している。出産情報通知装置１は、コンピュータプログラムである通知システムホームページ２１と出産祝いホームページ２２と通知先データベース２３と通知先情報収集部２４と識別情報配信部２５と通知時期配信部２６と出産情報収集部２７と出産情報配信部２８と注文収集部２９と発注部３０とがインストールされている。
【００２７】
なお、出産情報通知装置１は、互いに異なるＣＰＵを備える複数の情報処理装置から形成されることもできる。その情報処理装置は、ＬＡＮを介して互いに双方向に情報を伝送することができるように接続され、それぞれ、これらのコンピュータプログラムのうちの一部分を備えている。このように出産情報通知装置１を複数の情報処理装置に分けることは、そのうちの１つの情報処理装置が処理を継続している期間に他の１つを停止することができる。このような停止は、出産情報通知装置１または出産情報通知装置１にインストールされているコンピュータプログラムの保守点検・修理を容易にする。
【００２８】
通知システムホームページ２１は、利用者９が出産情報通知業者８に出産通知情報の通知を依頼するときに用いられる出産入力情報登録画面をインターネット３に接続される情報処理装置に公開している。出産祝いホームページ２２は、利用者１３が出産祝いを注文するときに用いられるお祝い品選択画面をインターネット３に接続される情報処理装置に公開している。通知先データベース２３は、入力情報端末４から収集される通知先情報を出産識別情報に対応付けて記録装置に記録する。
【００２９】
通知先情報収集部２４は、インターネット３を介して、通知システムホームページ２１を用いて入力情報端末４から通知先情報を収集する。識別情報配信部２５は、通知先情報収集部２４により収集された通知先情報を識別する出産識別情報を作成して、インターネット３を介してその出産識別情報を入力情報端末４に配信する。識別情報配信部２５は、さらに、通知先情報収集部２４により収集された通知先情報をその出産識別情報に対応付けて通知先データベース２３に記録する。通知時期配信部２６は、情報収集端末５から送信される出産識別情報に応答して、通知先データベース２３を参照して、その出産識別情報に対応する通知先情報が示す通知時期を情報収集端末５に返信する。
【００３０】
出産情報収集部２７は、インターネット３を介して情報収集端末５から出産識別情報に対応付けられている出産通知情報を収集する。出産情報配信部２８は、通知先データベース２３を参照して、出産情報収集部２７により収集された出産識別情報に対応付けられている通知先情報が示す通知先端末６にインターネット３を介して出産情報収集部２７により収集された出産通知情報を配信する。
【００３１】
注文収集部２９は、インターネット３を介して、出産祝いホームページ２２を用いて、通知先端末６から出産祝いに用いられる商品の発送の注文を収集する。発注部３０は、インターネット３を介して、注文収集部２９により収集された注文が示す商品の配送の依頼を配送センター端末７に送信する。
【００３２】
図３は、通知先データベース２３により記録されるテーブルを示している。そのテーブル４０は、通知先情報を出産識別情報４０に対応付けている。その通知先情報は、通知先４２と通知時期４３と付加情報の有無４４と父母情報４５とから形成されている。出産識別情報４０は、互いに異なり、その通知先情報を識別し、文字列により表現されている。通知先４２は、通知先端末６の電子メールアドレスを示している。通知先４２は、さらに、利用者９が複数の利用者１３に出産通知情報を通知したいときに、複数の電子メールアドレスを示している。通知時期４３は、母子の状態が観測される時期を示している。通知時期４３としては、分娩室に入室した直後、分娩室に入室してから所定の時間毎の時刻、出産した直後、出産してから所定の時間毎の時刻が例示される。付加情報の有無４４は、付加情報を通知先端末６に通知するかどうかを示している。父母情報４５は、妊婦の氏名とその妊婦の夫の氏名とその妊婦の住所とを示している。
【００３３】
図４は、通知システムホームページ２１により公開される出産入力情報登録画面を示している。その出産入力情報登録画面５１は、通知先入力欄５２と通知時期入力欄５３と付加情報有無入力欄５４と両親氏名入力欄５５と登録ボタン５６と削除ボタン５７とを備えている。通知先入力欄５２には、入力情報端末４により通知先端末６の電子メールアドレスが記入される。通知先入力欄５２には、利用者９が複数の利用者１３に出産通知情報を通知したいときに、複数の電子メールアドレスが記入される。
【００３４】
通知時期入力欄５３には、通知時期が入力される。すなわち、通知時期入力欄５３は、複数のチェックボックス６１〜６７を備え、チェックボックス６１〜６７を用いて入力される通知時期を表現している。その通知時期は、チェックボックス６１がチェックされると分娩室に入室した直後を示し、チェックボックス６２がチェックされると分娩室に入室してから３０分毎の時刻を示し、チェックボックス６３がチェックされると分娩室に入室してから１時間毎の時刻を示し、チェックボックス６４がチェックされると出産した直後を示し、チェックボックス６５がチェックされると出産してから１日毎の時刻を示し、チェックボックス６６がチェックされると出産してから２日毎の時刻を示し、チェックボックス６７がチェックされると産院１１を退院する時刻を示している。
【００３５】
付加情報有無入力欄５４には、付加情報を通知先端末６に通知するかどうかを示す情報が記入される。すなわち、付加情報有無入力欄５４は、チェックボックスから形成されている。付加情報有無入力欄５４は、そのチェックボックスがチェックされると付加情報を通知先端末６に通知することを示し、そのチェックボックスからチェックが外されると付加情報を通知先端末６に通知しないことを示している。両親氏名入力欄５５には、産院１１で出産する妊婦の氏名とその妊婦の夫の氏名とその妊婦の住所とが入力情報端末４により記入される。
【００３６】
登録ボタン５６は、クリックされると、通知先入力欄５２と通知時期入力欄５３と付加情報有無入力欄５４と両親氏名入力欄５５に記入された情報が出産情報通知装置１に送信される。削除ボタン５７は、クリックされると、通知先入力欄５２と通知時期入力欄５３と付加情報有無入力欄５４と両親氏名入力欄５５に記入された情報が消去される。
【００３７】
図５は、出産情報配信部２８により通知先端末６に配信される出産通知情報画面を示している。その出産通知情報画面７１は、通知時期欄７２と子画像欄７３と母画像欄７４と体調欄７５とハイパーリンク７６とを備えている。通知時期欄７２には、母子の状態が観測された時期が表示される。子画像欄７３には、出産した子供の通知時期欄７２に記載されている時期での映像が表示される。母画像欄７４には、通知時期欄７２に記載されている時期での出産する妊婦の映像が表示され、または、通知時期欄７２に記載されている時期での出産した母親の映像が表示される。体調欄７５には、通知時期欄７２に記載されている時期での母子の体調が表示される。
【００３８】
ハイパーリンク７６は、出産祝いホームページ２２のＵＲＬを示している。ハイパーリンク７６は、付加情報有無入力欄５４に付加情報を通知先端末６に通知することが入力されたときに出産通知情報画面７１に表示され、付加情報有無入力欄５４に付加情報を通知先端末６に通知しないことが入力されたときに出産通知情報画面７１に表示されない。通知先端末６は、通知先ハイパーリンク７６がクリックされると、出産祝いホームページ２２により公開されているお祝い品選択画面を表示する。
【００３９】
図６は、そのお祝い品選択画面８１を示している。お祝い品選択画面８１は、出産祝いホームページ２２によりインターネット３に接続される情報処理装置に公開されている。お祝い品選択画面８１は、お祝い品リスト欄８２と送付先入力欄８３と注文ボタン８４とを備えている。お祝い品リスト欄８２には、複数の商品情報８５−１〜８５−ｎ（ｎ＝１，２，３，４，…）と複数のチェックボックス８６−１〜８６−ｎが表示されている。商品情報８５−ｉ（ｉ＝１，２，３，…，ｎ）は、商品名と商品コードと価格とから形成されている。チェックボックス８６−ｉは、商品情報８５−ｉの横に並べられて配置されて、商品情報８５−ｉに対応付けられている。チェックボックス８６−ｉは、クリックされることにより、チェックされ、または、チェックを外される。送付先入力欄８３には、通知先端末６により出産祝いの送付先が記入される。注文ボタン８４は、クリックされると、チェックボックス８６−ｉにチェックされた商品を送付先入力欄８３に記入された送付先に配送する注文を出産情報通知装置１に送信する。
【００４０】
本発明による出産情報通知方法の実施の形態は、出産情報通知システム２により実行される。その出産情報通知方法は、出産通知情報の通知を依頼する動作と、出産通知情報を通知する動作と、出産祝いを注文する動作とを備えている。
【００４１】
図７は、出産通知情報の通知を依頼する動作の実施の形態を示している。利用者９は、出産通知情報の通知を依頼するときに、まず、入力情報端末４を用いて出産情報通知装置１にアクセスして出産入力情報登録画面５１を要求する（ステップＳ１）。出産情報通知装置１は、そのアクセスに応答して、出産入力情報登録画面５１を入力情報端末４に送信する（ステップＳ２）。入力情報端末４は、受信した出産入力情報登録画面５１を表示する。
【００４２】
利用者９は、入力情報端末４を用いて出産入力情報登録画面５１に通知先情報を記入する（ステップＳ３）。その通知先情報は、出産通知情報を通知したい通知先端末６の電子メールアドレスと出産通知情報を通知する通知時期と付加情報を通知先端末６に通知するかどうかと産院１１で出産する妊婦の氏名とその妊婦の夫の氏名と妊婦の住所とを示している。入力情報端末４は、通知先情報が入力されると、その通知先情報を出産情報通知装置１に送信する（ステップＳ４）。
【００４３】
出産情報通知装置１は、通知先情報を受信すると、その通知先情報を識別する出産識別情報を作成して、その通知先情報をその出産識別情報に対応付けて通知先データベース２３に記録する。出産情報通知装置１は、さらに、その出産識別情報を入力情報端末４に返信する（ステップＳ５）。入力情報端末４は、出産識別情報を受信すると、その出産識別情報を表示する（ステップＳ６）。
【００４４】
図８は、出産通知情報を通知する動作の実施の形態を示している。利用者９は、まず、図７の動作で取得した出産識別情報を産院１１に提示して、出産通知情報を出産情報通知装置１に送信することを産院１１に依頼する。産院１１の担当者は、情報収集端末５を用いてその出産識別情報を出産情報通知装置１に送信して、通知時期を問い合わせる（ステップＳ１１）。出産情報通知装置１は、通知先データベース２３を参照して、その出産識別情報に対応する通知先情報が示す通知時期を情報収集端末５に返信する（ステップＳ１２）。情報収集端末５は、通知時期を受信すると、その通知時期を表示する。
【００４５】
産院１１の担当者は、その通知時期になると、分娩室の出産前の妊婦の映像または出産後の母子の映像をカメラ１２で撮影して情報収集端末５に入力し、妊婦または出産後の母子の体調を情報収集端末５に入力する（ステップＳ１３）。情報収集端末５は、その映像とその体調とを含む出産通知情報を利用者９から提示された出産識別情報とともに出産情報通知装置１に送信する（ステップＳ１４）。
【００４６】
出産情報通知装置１は、出産識別情報と出産通知情報とを受信すると、通知先データベース２３を参照して、その出産識別情報に対応する通知先情報を検索する（ステップＳ１５）。出産情報通知装置１は、次いで、その出産通知情報が記載された出産通知情報画面７１を作成する。その出産通知情報画面７１は、検索された通知先情報が付加情報を通知先端末６に通知することを示すときにハイパーリンク７６が記載され、検索された通知先情報が付加情報を通知先端末６に通知しないことを示すときにハイパーリンク７６が記載されている。出産情報通知装置１は、その出産通知情報画面７１を検索された通知先情報が示す電子メールアドレスに送信する（ステップＳ１６）。通知先端末６は、出産通知情報画面７１を受信すると、その出産通知情報画面７１を表示する（ステップＳ１７）。
【００４７】
図７の動作と図８の動作とによれば、出産情報通知装置１は、利用者９が決めた通知時期に利用者９が決めた通知先に出産通知情報を通知することができる。このとき、産院に来院することができないで出産に立ち会えない利用者１３は、通知先端末６を用いて出産通知情報を速く知ることができる。
【００４８】
図９は、お祝い品を注文する動作の実施の形態を示している。利用者１３は、出産した夫婦に出産祝いを贈答したいときに、通知先端末６を用いて、出産通知情報画面７１のハイパーリンク７６をクリックして、出産祝いホームページ２２にアクセスする（ステップＳ２１）。出産情報通知装置１は、そのアクセスに応答して、お祝い品選択画面８１を通知先端末６に返信する（ステップＳ２２）。通知先端末６は、お祝い品選択画面８１を受信すると、そのお祝い品選択画面８１を表示する。
【００４９】
利用者１３は、通知先端末６を用いて、お祝い品選択画面８１を閲覧して、そのお祝い品選択画面８１に出産祝いとして贈る商品を記入して、その商品の送付先を記入する。通知先端末６は、その商品とその送付先とを示す注文が入力されると、その注文を出産情報通知装置１に送信する（ステップＳ２３）。
【００５０】
出産情報通知装置１は、注文を受信すると、その注文を配送センター端末７に転送する（ステップＳ２４）。配送センター１４は、配送センター端末７を用いてその注文を受け、その注文により指定された商品を指定された送付先に送付する。配送センター１４は、さらに、配送センター端末７を用いてその注文の請求書を作成して、その請求書を通知先端末６に送信する（ステップＳ２５）。通知先端末６は、請求書を受信すると、その請求書を表示する（ステップＳ２６）。利用者１３は、その請求書に指定された金融機関でその注文に対する代金を配送センター１４に支払う。
【００５１】
このとき、利用者１３は、通知先端末６を用いて出産した夫婦に出産祝いを贈る注文を容易に依頼することができる。
【図面の簡単な説明】
【００５２】
【図１】図１は、出産情報通知システムの実施の形態を示すブロック図である。
【図２】図２は、本発明による出産情報通知装置の実施の形態を示すブロック図である。
【図３】図３は、通知先データベースを示す図である。
【図４】図４は、出産入力情報登録画面を示す図である。
【図５】図５は、出産通知情報画面を示す図である。
【図６】図６は、お祝い品選択画面を示す図である。
【図７】図７は、出産通知情報の通知を依頼する動作の実施の形態を示すフローチャートである。
【図８】図８は、出産通知情報を通知する動作の実施の形態を示すフローチャートである。
【図９】図９は、お祝い品を注文する動作の実施の形態を示すフローチャートである。
【符号の説明】
【００５３】
１  ：出産情報通知装置
２  ：出産情報通知システム
３  ：インターネット
４  ：入力情報端末
５  ：情報収集端末
６  ：通知先端末
７  ：配送センター端末
８  ：出産情報通知業者
９  ：利用者
１１：産院
１２：カメラ
１３：利用者
１４：配送センター
２１：通知システムホームページ
２２：出産祝いホームページ
２３：通知先データベース
２４：通知先情報収集部
２５：識別情報配信部
２６：通知時期配信部
２７：出産情報収集部
２８：出産情報配信部
２９：注文収集部
３０：発注部
４０：テーブル
４１：出産識別情報
４２：通知先
４３：通知時期
４４：付加情報の有無
４５：父母情報
５１：出産入力情報登録画面
５２：通知先入力欄
５３：通知時期入力欄
５４：付加情報有無入力欄
５５：両親氏名入力欄
５６：登録ボタン
５７：削除ボタン
６１〜６８：チェックボックス
７１：出産通知情報画面
７２：通知時期欄
７３：子画像欄
７４：母画像欄
７５：体調欄
７６：ハイパーリンク
８１：お祝い品選択画面
８２：お祝い品リスト欄
８３：送付先入力欄
８４：文ボタン
８５−１〜８５−ｎ：商品情報
８６−１〜８６−ｎ：チェックボックス
【図１】
2005050242.tif 000003
【図２】
2005050242.tif 000004
【図３】
2005050242.tif 000005
【図４】
2005050242.tif 000006
【図５】
2005050242.tif 000007
【図６】
2005050242.tif 000008
【図７】
2005050242.tif 000009
【図８】
2005050242.tif 000010
【図９】
2005050242.tif 000011